(57)【要約】【課題】設置場所が極めて狭い場合であっても、収納容積の大きい大型のものを設置可能とする。【解決手段】横開き扉（１０）を備えた収納庫（１）において、扉は、左右に２分割されて、横一端部（１６）が収納庫本体（２）の開口部（３）に回動可能に軸支されて内側に開く第１扉（１５）と、第１扉より横幅が広く形成されて横一端部（２２）が第１扉の他端部（１８）にヒンジ機構（３０）を介して回動可能に軸支されて外側に開く第２扉（２０）とからなり、第２扉は、ヒンジ機構からの距離が第１扉の回動中心からヒンジ機構までの距離と等しくなる位置で、収納庫本体の開口部の上下端部に、回動可能にかつ横方向に移動可能に軸支される。【選択図】　　　　図２
2004084365.tif 000002
【特許請求の範囲】
【請求項１】
横開き扉（１０）を備えた収納庫（１）において、前記扉は、左右に２分割されて横一端部（１６）が収納庫本体（２）の開口部（３）に回動可能に軸支されて内側に開く第１扉（１５）と前記第１扉より横幅が広く形成されて横一端部（２２）が前記第１扉の他端部（１８）にヒンジ機構（３０）を介して回動可能に軸支されて外側に開く第２扉（２０）とからなり、前記第２扉は、前記ヒンジ機構からの距離が前記第１扉の回動中心から前記ヒンジ機構までの距離と等しくなる位置で前記開口部の上下端部に回動可能にかつ横方向に移動可能に軸支されることを特徴とする収納庫。
【請求項２】
前記収納庫本体（２）は、前記開口部（３）の上下端部に横長のスライド孔（６）を有し、前記第２扉（２０）は、上下方向に延びる回転軸（２３）を介して前記スライド孔に回動可能にかつ横方向に移動可能に軸支されることを特徴とする、請求項１に記載の収納庫。
【請求項３】
前記ヒンジ機構（３０）は、２つの軸受部材（３１）と１つの連結部材（３５）とからなり、前記軸受部材は、前記第１扉（１５）と前記第２扉（２０）の内側に上下方向に配設され、前記連結部材は、２つの軸部（３６）と前記軸部を間隔を設けて平行に結合する結合部（３７）とからなり前記軸部が前記軸受部材に嵌入されて前記第１扉と前記第２扉とを回動可能に連結することを特徴とする、請求項１又は２に記載の収納庫。
【請求項４】
前記第１扉（１５）及び前記第２扉（２０）は、前記連結部材（３５）の前記結合部（３７）を内部に収容する切欠部（１９，２４）又は凹部（２５）を端面に有することを特徴とする、請求項３に記載の収納庫。
【請求項５】
前記第２扉（２０）の内側に収納棚（２８，２９）を取り付けたことを特徴とする、請求項１ないし４のいずれか１つに記載の収納庫。
【発明の詳細な説明】
【０００１】
【発明の属する技術分野】
本発明は、収納庫、特に、狭い室内等に設置されて好適な収納庫に関する。
【０００２】
【従来の技術】
屋内外で書庫、ロッカ、物置等として使用される従来の収納庫は、一枚板からなる片開き、又は両開きの横開き扉を有するものがある。図７（ａ）に示すように、このような横開き扉４２を有する収納庫４１は、扉４２が外側に全開できるように、少なくとも扉４２の幅の分だけスペースを前方に設けて設置される。また、この収納庫４１を通路に設置する場合には、扉４２が９０°の角度で開いていても通行人が通れるように、さらに通路分だけのスペースを空けて設置される。
【０００３】
【発明が解決しようとする課題】
しかしながら、近年、ＳＯＨＯ等に代表されるように、極めて狭い室内に、書庫、ロッカ、物置等の収納庫を設置しなければならないケースがしばしば発生する。
【０００４】
上述したように、従来の収納庫は、一枚板からなる片開き、又は両開きの横開き扉を有し、この扉が外側に全開できるように、少なくとも扉幅の分だけ前方にスペースを設けて設置しなければならない。また、収納庫を通路に設置する場合には、扉が９０°の角度で開いていても通行人が通れるように、さらに通路分だけスペースを空けて設置する必要がある。このため、床面積等が極めて狭い場合には、大型の収納庫は設置することができないという問題がある。
【０００５】
本発明はこのような問題を解決するためになされたもので、極めて狭い室内等であっても、収納容積の大きい大型のものが設置可能な収納庫を提供することを課題とする。
【０００６】
【課題を解決するための手段】
上述の課題を解決するために、本発明が採用する手段は、横開き扉を備えた収納庫において、扉は、左右に２分割されて、横一端部が収納庫本体の開口部に回動可能に軸支されて内側に開く第１扉と、第１扉より横幅が広く形成されて横一端部が第１扉の他端部にヒンジ機構を介して回動可能に軸支されて外側に開く第２扉とからなり、第２扉は、ヒンジ機構からの距離が第１扉の回動中心からヒンジ機構までの距離と等しくなる位置で、上記開口部の上下端部に回動可能にかつ横方向に移動可能に軸支されることにある。
【０００７】
本手段によれば、扉を内側に開く第１扉と、この第１扉よりも横幅が広い外側に開く第２扉とに２分割したから、扉を９０°の角度で開いたときに扉が外側に突出する長さは、第２扉の扉幅から、凡そ第１扉の回動中心からヒンジ機構までの距離（以下、第１扉の回動半径ともいう）を差し引いた長さとなる。つまり、扉が外側に突出する長さは、従来の収納庫に比べて、最大、凡そ第１扉の回動半径の２倍の長さ分だけ短くなる。したがって、収納庫をその長さ分だけ前方に設置できるようになり、収納庫本体の奥行きをその長さ分だけ延ばすことができる。つまり、収納庫本体の容積を増加させることができる。
【０００８】
また、第２扉は、ヒンジ機構からの距離が第１扉の回動中心からヒンジ機構までの距離と等しくなる位置で開口部の上下端部に回動可能にかつ横方向に移動可能に軸支されるから、第１扉と第２扉は、同じ開き角度を保持しながら、９０°の角度までそれぞれスムーズに開く。ここで、ヒンジ機構からの距離が第１扉の回動中心からヒンジ機構までの距離（第１扉の回動半径）と等しいとは、両距離が完全に同一の場合のみならず、第１扉と第２扉とについて上記とほぼ同様の作動が得られる範囲において異なる場合も含まれる（他もすべて同じ）。
【０００９】
例えば、収納庫本体は、開口部の上下端部に横長のスライド孔を有し、第２扉は、上下方向に延びる回転軸を介してスライド孔に回動可能にかつ横方向に移動可能に軸支される。
【００１０】
好ましくは、ヒンジ機構は、２つの軸受部材と１つの連結部材とからなり、軸受部材は、第１扉と第２扉の内側に上下方向に配設され、連結部材は、２つの軸部とこの軸部を間隔を設けて平行に結合する結合部とからなり、軸部が軸受部材に嵌入されて第１扉と第２扉とを回動可能に連結する。このように、軸受部材は第１扉と第２扉の内側に配設されるから、扉の前面にヒンジ機構が現れることがなく、美観上極めて優れたものとなる。
【００１１】
好ましくは、第１扉及び第２扉は、連結部材の結合部を内部に収容する切欠部又は凹部を有する。したがって、収納庫本体の開口部と第１扉及び第２扉との間に、結合部を収容するための隙間を設ける必要がなく、扉としての機能及び美観を損ねることがない。
【００１２】
好ましくは、第２扉の内側に収納棚を取り付ける。上述したように、扉が外側に突出する長さは、最大、凡そ第１扉の回動半径の２倍の長さ分だけ短くなるから、収納庫本体の奥行きをその長さ分だけ延ばすことができ、収納庫本体の容積を増加させることができる。この一方、収納庫の第１扉は内側に開くから、収納庫本体内の収納棚等の前端部を、少なくとも第１扉の回動半径の長さ分だけ後方に引っ込めて配設しなければならない。したがって、このままであれば、収納庫の有効収納容積は、上述した収納庫本体の容積増加分までは増加しない。しかしながら、第２扉の内側に収納棚を取り付けることにより、収納庫の有効収納容積を、ほぼ収納庫本体の容積増加分に等しいだけ増加させることができる。
【００１３】
【発明の実施の形態】
本発明に係る収納庫の発明の実施の形態を、図１ないし図７を参照して詳細に説明する。
【００１４】
図１に示すように、収納庫１は、例えば書庫、ロッカ、物置等として屋内外に設置可能なものであり、前方に開口部３を有する箱型の収納庫本体２に、片開きの横開き扉１０が取り付けられている。扉１０は、例えば板金製であり、図示右側の第１扉１５と、第１扉１５よりも横幅が広い図示左側の第２扉２０とに、左右に２分割されている。第２扉２０には、引手２１が取り付けられる。
【００１５】
図２に示すように、第１扉１５の横一端部１６に、上下方向に突出する回転軸１７がそれぞれ配設される。収納庫本体２の開口部３の上下端部に、軸孔４がそれぞれ配設される。回転軸１７は、この軸孔４に回動可能に軸支される。収納庫本体２の開口部３の図示右側には、ストッパ５が配設される。ストッパ５より、第１扉１５は内側にだけ開くことができる。
【００１６】
第２扉２０は、横一端部２２が第１扉１５の他端部１８に、第１扉１５と第２扉２０の内側前部に配設されたヒンジ機構３０を介して、回動可能に軸支される。このヒンジ機構３０は、第１扉１５と第２扉２０の上下端部にそれぞれ１組ずつ配設される。第２扉２０には、ヒンジ機構３０からの距離が、第１扉１５の回転軸（回動中心）１７からヒンジ機構３０までの距離つまり第１扉１５の回動半径と等しくなる位置に、上下方向に回転軸２３がそれぞれ取り付けられる。収納庫本体２の開口部３の上下端部には、この上下端部に沿って横長直線状のスライド孔６がそれぞれ配設される。また、収納庫本体２の開口部３の図示左側には、ストッパ７が配設される。ストッパ７より、第２扉２０は外側にだけ開くことができる。
【００１７】
図３に示すように、回転軸２３は、ヘッド付きのピン２３ａと円筒状の樹脂製ローラ２３ｂとからなり、ローラ２３ｂを回転自在に嵌装したピン２３ａが、スライド孔６を通して第２扉２０に取り付けられる。つまり、第２扉２０は、回転軸２３を介してスライド孔６に回動可能にかつ横方向に移動可能に軸支される。
【００１８】
図４（ａ）に示すように、１組のヒンジ機構３０は、２つの軸受部材３１と１つの連結部材３５とからなる。第１扉１５の端部１８と第２扉２０の端部２２の上下前方角部には、切欠部１９，２４がそれぞれ配設される。図４（ｂ）に示すように、軸受部材３１は、第１扉１５の端部１８と第２扉２０の端部２２の内側前方角部に、上下方向にそれぞれ溶着される。また、第２扉２０の端部２２の後側には、上下方向に延びる目隠し板２７が取り付けられる。
【００１９】
図４（ａ）に示すように、連結部材３５は、２つの軸部３６と、この２つの軸部３６を間隔を設けて平行に結合する平板状の結合部３７とからなる。連結部材３５は、軸部３６が切欠部１９，２４を通して、第１扉１５と第２扉２０の軸受け３１に、上部は上方から、また下部は下方からそれぞれ嵌入されて、第１扉１５と第２扉２０とを回動可能に連結する。連結部材３５は、軸部３６の先端に雌ねじ３６ａが形成され、ワッシャ３８を介してナット３９により、軸受部材３１にそれぞれ取り付けられる。
【００２０】
このとき、連結部材３５の結合部３７は、第１扉１５と第２扉２０の切欠部１９，２４内にそれぞれ収容され、結合部３７のヘッド面３７ａと、第１扉１５及び第２扉２０の端面とがそれぞれ面一となる。したがって、第１扉１５及び第２扉２０と、収納庫本体２の開口部３との隙間は、連結部材３５を取り付けても特に広げる必要はなく、美観を損ねることはない。なお、図４（ｃ）に示すように、切欠部１９，２４の代わりに、連結部材３５の軸部３６を通すための軸孔２６が穿設された凹部２５を、第１扉１５と第２扉２０とに設けてもよい。
【００２１】
図２に示すように、収納庫本体２の内部に、必要な段数の収納棚８を配設する。図６に示すように、収納棚８は、扉１０が９０°の角度まで開いたときにも扉１０と接触しないように、その前端部が少なくとも第１扉１５の回動半径分だけ奥側に配設される。また、図２に示すように、第２扉２０の内側に、図５（ａ）に示すような収納棚２８を取り付ける。収納棚２８は、第２扉２０を開くときに、収納庫本体２の収容棚８と接触しない奥行き幅のものを取り付ける。第２扉２０の収納棚としては、その他図５（ｂ）に示すものや、用途に応じて種々の形状のものが取付け可能である。
【００２２】
次に、本収納庫１の作動について、図２、図６、図７を参照して説明する。図２において、第１扉１５と第２扉２０は、完全に閉じられた状態にある。図１に示す引手２１を手前に引くと、第２扉２０は、回転軸２３を中心に回動して外側に開くと共に、回転軸２３は、収納庫本体２のスライド孔６を第１扉１５側に横方向に移動する。第２扉２０の回転軸２３は、ヒンジ機構３０からの距離が第１扉１５の回動半径と等しくなる位置に配設されているから、第１扉１５と第２扉２０は、同じ開き角度を保ちながら、図６に示すように、それぞれ９０°の角度までスムーズに開く。ストッパ５により、第１扉１５と第２扉２０は最大９０°まで開く。
【００２３】
扉１０を９０°の角度まで開いたときに、扉が外側に突出する長さは、最大、凡そ第２扉２０の扉幅から第１扉１５の回動半径を差し引いた長さであり、従来の収納庫に比べて、凡そ第１扉１５の回動半径の２倍の長さ分だけ短くなる。したがって、図７（ｂ）に示すように、収納庫１をその長さ分だけ前方に設置できるようになり、収納庫本体２の奥行きをその長さ分だけ延ばすことができる。これにより、収納庫本体２の容積を増加させることができる。
【００２４】
一方、第１扉１５は内側に開くため、収納庫本体２内の収納棚８の前端部を後方に引っ込めて配設しならない。したがって、収納庫１の有効収納容積は、上述した収納庫本体２の容積増加分までは増加しない。しかしながら、第２扉２０の内側に収納棚２８を取付けたから、収納庫１の有効収納容積をほぼ収納庫本体２の容積増加分に等しいだけ増加させることができる。このため、ＳＯＨＯ等に代表されるような極めて狭い室内等であっても、収納容積の大きい大型のものが設置可能となる。
【００２５】
また、軸受部材３１を第１扉１５と第２扉２０の内側前方に取り付けたから、第１扉１５と第２扉２０との間に設けなければならない隙間は、開閉に必要な最小のものとなり、しかも目隠し板２７を取り付けたから、美観上優れたものとなる。
【００２６】
なお、本収納庫１の扉１０は片開きであったが、これに限定されるものではなく、両開きとして、その一方又は双方の扉を上述した扉１０と同様の構成としてもよい。また、美観上、ヒンジ機構３０を第１扉１５と第２扉２０の内側に取り付けたが、これに限定されるものではなく、第１扉と第２扉の外側に汎用の丁番等を取り付けてもよい。さらに、第１扉１５と第２扉２０とに切欠部１９，２４又は凹部２５を設けて、連結部材３５の結合部３７を第１扉１５と第２扉２０の内部に収容したが、これに限定されるものではなく、必ずしも切欠部又は凹部を設ける必要はない。また、第２扉２０の内側に収納棚２８を設けて、収納庫１の有効収納容積の増加を図ったが、これに限定されるものではなく、必ずしも第２扉に収納棚を設ける必要はない。
【００２７】
【発明の効果】
以上詳細に説明したように、本発明の収納庫は、横開き扉を備え、この扉は、左右に２分割されて、横一端部が収納庫本体の開口部に回動可能に軸支されて内側に開く第１扉と、第１扉より横幅が広く形成されて横一端部が第１扉の横他端部にヒンジ機構により回動可能に軸支されて外側に開く第２扉とからなり、第２扉は、ヒンジ機構からの距離が第１扉の回動中心からヒンジ機構までの距離と等しくなる位置で開口部の上下端部に回動可能にかつ横方向に移動可能に軸支されるから、極めて狭い室内等であっても、収納容積の大きい大型のものが設置可能になるという優れた効果を奏する。
【図面の簡単な説明】
【図１】本発明の一例としての収納庫１を示す斜視図である。
【図２】図１の矢線ＩＩ−ＩＩにおける断面図である。
【図３】図２の回転軸２３を示す組立図である。
【図４】（ａ）は図２のヒンジ機構３０を示す組立図であり、（ｂ）は（ａ）の矢線ＩＩＩ−ＩＩＩ　における断面図であり、（ｃ）は凹部２５を示す斜視図である。
【図５】（ａ）は図２の収納棚２８を、（ｂ）は別の収納棚２９を示す斜視図である。
【図６】図２の扉１０が開いた状態を示す断面図である。
【図７】（ａ）は従来の収納庫４１を、（ｂ）は本発明の収納庫１を示す平面図である。
【符号の説明】
１　収納庫
２　収納庫本体
３　開口部
４　軸孔
５　ストッパ
６　スライド孔
７　ストッパ
８　収納棚
１０　扉
１５　第１扉
１６　端部
１７　回転軸
１８　端部
１９　切欠部
２０　第２扉
２１　引手
２２　端部
２３　回転軸
２３ａ　ピン
２３ｂ　ローラ
２４　切欠部
２５　凹部
２６　軸孔
２７　目隠し板
２８，２９　収納棚
３０　ヒンジ機構
３１　軸受部材
３５　連結部材
３６　軸部
３６ａ　雌ねじ
３７　結合部
３７ａ　ヘッド面
３８　ワッシャ
３９　ナット
４１　収納庫
４２　扉
【図１】
2004084365.tif 000003
【図２】
2004084365.tif 000004
【図３】
2004084365.tif 000005
【図４】
2004084365.tif 000006
【図５】
2004084365.tif 000007
【図６】
2004084365.tif 000008
【図７】
2004084365.tif 000009